(57)【要約】【課題】小型で薄型の外形を備え、加速度感度の高い対物レンズ駆動装置を提供する。【解決手段】対物レンズ駆動装置は、光ビームを収束させるための対物レンズと１、対物レンズを保持するレンズホルダ２と、フォーカシングコイル３ａおよび少なくとも１つのトラッキングコイル３ｂ、３ｃを有し、レンズホルダに固定されたコイル基板とを含む可動体４１、ベース６、ベース６に対して、可動体４１を対物レンズの光軸方向と平行なフォーカシング方向およびフォーカシング方向に垂直なトラッキング方向へ移動可能に支持する支持部７ａ〜７ｄ、および、空隙を介してコイル基板を挟むようにベースに固定された第１および第２の多極マグネット４、５を含む。フォーカシングコイル３ａおよびトラッキングコイル３ｂ、３ｃは互いに平行でありかつ異なる平面において扁平な形状をそれぞれ有し、フォーカシングコイル３ａおよびトラッキングコイル３ｂ、３ｃの少なくとも一部は互いに重なるよう配置されている。【選択図】　図１
2004005918.tif 000002
【特許請求の範囲】
【請求項１】
光ビームを収束させるための対物レンズと、前記対物レンズを保持するレンズホルダと、フォーカシングコイルおよび少なくとも１つのトラッキングコイルを有し、レンズホルダに固定されたコイル基板とを含む可動体、
ベース、
前記ベースに対して、前記可動体を前記対物レンズの光軸方向と平行なフォーカシング方向および前記フォーカシング方向に垂直なトラッキング方向へ移動可能に支持する支持部、および
空隙を介して前記コイル基板を挟むようにベースに固定された第１および第２の多極マグネット
を含む対物レンズ駆動装置であって、
前記フォーカシングコイルおよび前記トラッキングコイルは互いに平行でありかつ異なる平面において扁平な形状をそれぞれ有し、前記フォーカシングコイルおよび前記トラッキングコイルの少なくとも一部は互いに重なるよう配置されている対物レンズ駆動装置。
【請求項２】
前記対物レンズと前記コイル基板との間に前記第１の多極マグネットが位置している請求項１に記載の対物レンズ駆動装置。
【請求項３】
前記フォーカシングコイルは前記トラッキングコイルよりも前記第１の多極マグネットに近接しており、前記トラッキングコイルは前記フォーカシングコイルよりも前記第２の多極マグネットに近接している請求項２に記載の対物レンズ駆動装置。
【請求項４】
前記第１の多極マグネットは、少なくともフォーカシング方向に異極が配列されるよう分割されており、前記第２の多極マグネットは、少なくともトラッキング方向に異極が配列されるよう分割されている請求項２に記載の対物レンズ駆動装置。
【請求項５】
前記第２の多極マグネットは、第１の磁極領域と、前記第１の磁極領域を囲み、トラッキング方向に延びた平らな底面を有するＵ字状の第２の磁極領域とを含み、前記第１の磁極領域および第２の領域は異なる極に着磁されている請求項４に記載の対物レンズ駆動装置。
【請求項６】
前記第２の多極マグネットは、前記トラッキング方向に３列に分割され、前記フォーカシング方向に２行に分割されることにより形成された６つの磁極領域を有し、前記６つの磁極領域は互いに隣接する磁極領域が異なる極となるよう着磁されており、前記６つの磁極領域のうち、中央の列であって、上方の行に位置する磁極領域が第１の磁極領域になっている請求項４に記載の対物レンズ駆動装置。
【請求項７】
前記第１の多極マグネットは前記第２の多極マグネットと同じ構造を備えている請求項５または６に記載の対物レンズ駆動装置。
【請求項８】
前記前記第１の多極マグネットは、フォーカシング方向に２行に分割されることにより形成された２つの磁極領域を有し、前記２つ磁極領域はとなるよう着磁されている請求項５または６に記載の対物レンズ駆動装置。
【請求項９】
前記コイル基板は、前記トラッキングコイルを２つ有し、
前記２つのトラッキングコイルはトラッキング方向に配置されている請求項５または６に記載の対物レンズ駆動装置。
【請求項１０】
前記第１の多極マグネット、前記第２の多極マグネット、および前記第１の磁極領域のトラッキング方向の幅をそれぞれＭ、ＮおよびＬとしたとき、
Ｌ＜Ｍ＜Ｎ
の関係を満たしている請求項８に記載の対物レンズ駆動装置。
【請求項１１】
前記第２の多極マグネットは、フォーカシング方向におおよそ等しい幅で２行に分割され、トラッキング方向におおよそ１：２：１の幅で３列に分割された６つの磁極領域を有し、前記６つの磁極領域は互いに隣接する磁極領域が異なる極となるよう着磁されており、
前記第１の多極マグネットは、前記フォーカシング方向におおよそ等しい幅で２行に分割された２つの磁極領域を有し、前記２つの磁極領域は互いに異なる極となるよう着磁されている請求項４に記載の対物レンズ駆動装置。
【請求項１２】
前記第１の多極マグネットおよび前記第２の多極マグネットはフォーカシング方向の幅がほぼ等しく、前記第１の多極マグネットのトラッキング方向の幅は、前記第２の多極マグネットの中央の磁極領域のトラッキング方向の幅とほぼ等しくなっている請求項１１に記載の対物レンズ駆動装置。
【請求項１３】
前記第１の多極マグネットは、前記２の多極マグネットの中央列に位置する２つの磁極領域と対向するよう配置されている請求項１２に記載の対物レンズ駆動装置。
【請求項１４】
前記支持部は前記フォーカシング方向およびトラッキング方向に垂直な回転軸の周りに回転可能なように前記可動体を支持しており、
前記コイル基板は４つのトラッキングコイルを有し、
前記回転軸が前記コイル基板と交わる点を通り、前記フォーカシング方向に平行な第１の軸および、前記トラッキング方向に平行な第２の軸に対して、前記４つのトラッキングコイルは対称な位置に配置されている請求項１３に記載の対物レンズ駆動装置。
【請求項１５】
前記第２の軸に対して上方２つのトラッキングコイルは上コイル群を形成するよう直列に接続され、前記第２の軸に対して下方２つのトラッキングコイルは下コイル群を形成するよう直列に接続されている請求項１４に記載の対物レンズ駆動装置。
【請求項１６】
前記上コイル群および前記下コイル群に同相成分の電流を通電することで前記トラッキング方向へ前記可動体を移動させ、前記上コイル群および前記下コイル群に互いに逆相成分の電流を通電することにより前記可動体を前記回転軸の周りに回転させる請求項１５記載の対物レンズ駆動装置。
【請求項１７】
前記フォーカシングコイルの巻回軸は前記回転軸と一致している請求項１６に記載の対物レンズ駆動装置。
【請求項１８】
請求項１から１７のいずれかに記載の対物レンズ駆動装置と、前記光ビームを出射するための光源とを有する光ヘッド。
【請求項１９】
光ディスクを回転させるためのモータと、前記光ディスに収束した光ビームを照射するよう配置された請求項１８に記載の光ヘッドと、
前記光ビームを前記ディスクの半径方向へ移動させるための移動手段と、
を備えた光ディスク装置。
【発明の詳細な説明】
【０００１】
【発明の属する技術分野】
本発明はディスク状記録媒体に光ビームを照射して光学的に情報を記録および再生する記録再生装置における対物レンズ駆動装置に関する。
【０００２】
【従来の技術】
コンパクトディスクなどのディスク状記録媒体（以下、単に光ディスクという）へ光学的に情報を記録および／または再生する光ディスク装置は、光ヘッドを備える。光ヘッドは、ディスクの半径方向に移動し、情報を記録するための所定のトラックに光ビームを照射する。また、ディスクにおいて反射した光ビームを検出し、検出した光を電気信号に変換する。
【０００３】
光ヘッドは、光源と、光源から出射した光ビームを収束する対物レンズとを備え、光ビームの収束領域がディスクのトラック上において、一定の収束状態を保ったままトラックを追従するように、対物レンズを移動させる。具体的には、ディスクの面振れによるフォーカシングずれや偏心などによるトラッキングずれを補正するために、対物レンズは、対物レンズの光軸方向であるディスクに対して垂直な方向（以下、フォーカシング方向という）、及びディスクの半径方向（以下トラッキング方向という）に駆動される。このように対物レンズを駆動する装置を対物レンズを含めて対物レンズ駆動装置と呼ぶ。
【０００４】
近年、光ディスクの高密度化および光ディスク装置における高転送レート化が、進展している。このため、対物レンズを高い精度で位置決め制御する必要性、および、高速回転させた光ディスクから、記録・再生情報を高いレートで転送する必要性が増している。
【０００５】
光ディスクを高速回転させた場合、面振れ加速度および偏心加速度は回転数の２乗に比例して大きくなる。このため、これらの加速度に対して、対物レンズ駆動装置における対物レンズが移動する加速度感度が十分に大きくない場合、面振れ、偏心に対する対物レンズの追従性能が低くなり、制御誤差が生じる。誤差が大きくなると、デフォーカスまたはデトラックが発生し、記録再生信号を劣化させる原因となる。
【０００６】
一方、光ディスク装置の小型化に対するニーズにともなって、対物レンズ制御装置も小型化、特に薄型化も同時に要求されており、限られたスペースの中で十分な加速度感度が得られる対物レンズ駆動装置を構成することがより困難となってきている。
【０００７】
以下、図面を参照しながら、薄型の構造を備えた従来の対物レンズ駆動装置の一例を説明する。図１５は、従来の対物レンズ駆動装置の構成を示す分解斜視図であり、図１６は従来の対物レンズ駆動装置の構成を示す平面図である。図２３（ｂ）は、従来の対物レンズ駆動装置における、マグネットとフォーカシングコイルおよびトラッキングコイルとの位置関係を説明するための模式的な平面図であり、図１７（ａ）および図１７（ｃ）は、それぞれ、図１７（ｂ）を矢印ＵおよびＶの方向から見た側面図である。これらの図に示す従来の対物レンズ駆動装置はたとえば、特許文献１に開示されている。
【０００８】
図１５および図１６に示すように、従来の対物レンズ駆動装置において、対物レンズ１は中央に貫通穴があるレンズホルダ３０１に保持される。このレンズホルダ３０１の貫通穴の内側にはおおよそ５角形柱形状を有するフォーカシングコイル３０２が取り付けられている。フォーカシングコイル３０２の側面には直列に接続された一対の扁平でかつおおよそ４角形状を有するトラッキングコイル３０３が取り付けられている。
【０００９】
フォーカシングコイル３０２およびトラッキングコイル３０３を空隙を介して同時に挟み込むように２個のマグネット３０４および３０５がベース３０６に固定されている。ベース３０６にはサスホルダ３０８が固定されており、サスホルダ３０８の背面には固定基板３１０が固定されている。
【００１０】
レンズホルダ３０１の２側面には一対の中継端子板３０９が固定されており、４本のワイヤー３０７ａ〜３０７ｄのそれぞれの一端が中継端子板３０９に半田付けによって接続固定され、ワイヤー３０７ａ〜３０７ｄの他端は固定基板３１０に半田付けによって接続固定されている。
【００１１】
対物レンズ１、レンズホルダ３０１、フォーカシングコイル３０２、トラッキングコイル３０３および中継端子板３０９によって可動体が構成される。この可動体はベース３０６に対して４本のワイヤー３０７ａ〜３０７ｄによってフォーカシング方向Ｆおよびトラッキング方向Ｔに移動可能なように支持されている。
【００１２】
ワイヤー３０７ａ〜３０７ｄはベリリウム銅やリン青銅等の弾性金属材料からなる線材によって構成されている。フォーカシングコイル３０２の２本の端子および直列に接続された一対のトラッキングコイル３０３の２本の端子はそれぞれ独立に中継端子板３０９、ワイヤー３３７ａ〜３０７ｄを介して固定基板３１０に電気的に接続されている。
【００１３】
また、図１６に示すように、マグネット３０４および３０５は互いに異極が対向するように配置されており、トラッキング方向Ｔの外形寸法はおおよそ同一であるＪとなっている。
【００１４】
この従来の対物レンズ駆動装置において、フォーカシングコイル３０２およびトラッキングコイル３０３のマグネット３０４とマグネット３０５とに挟み込まれた部分が駆動力発生点となる。駆動力発生点は可動体のおおよそ中央に位置し、この駆動力発生点からずれた位置に対物レンズ１を配置することにより、光ビームをフォーカシング方向Ｆに反射させるための立上げミラー（図示せず）とマグネット３０４、３０５およびフォーカシングコイル３０２、トラッキングコイル３０３からなる駆動手段との機械的な干渉を避けている。対物レンズ駆動装置を薄くし、薄型の光ヘッドを実現することができる。
【００１５】
この従来の対物レンズ駆動装置の動作を図１７（ａ）から（ｃ）を用いて説明する。
【００１６】
まず、フォーカシング駆動について説明する。図１７（ａ）に示すように、フォーカシングコイル３０２に対して矢印Ｉｆの方向に電流を流すと、対向する磁極はＮ極であるため、フォーカシングコイル３０２の一辺に矢印Ｐｆの方向に駆動力が発生する。このため、フォーカシングコイル３０２に発生した駆動力Ｐｆによってレンズホルダ３０１はフォーカシング方向Ｆに駆動される。
【００１７】
次に、トラッキング駆動について説明する。図１７（ｃ）に示すように、トラッキングコイル３０３に対して矢印Ｉｔの方向に電流を流すと、対向する磁極はＳ極であるため、トラッキングコイル３０３の一辺に矢印Ｐｔの方向の駆動力が発生する。このため、トラッキングコイル３０３に発生した駆動力Ｐｔによってレンズホルダ３０１はトラッキング方向Ｔに駆動される。
【００１８】
【特許文献１】
特開平５−３１４５１４号公報
【００１９】
【発明が解決しようとする課題】
上述の従来の対物レンズ駆動装置において、対物レンズを移動させる加速度性能を向上させる場合、以下のような課題を有する。
【００２０】
まず、従来の対物レンズ駆動装置において、フォーカス方向の駆動力は、５角柱形状を有するフォーカシングコイル３０２のうちの一辺にのみ生じる。このため、コイルの総長に対する駆動力発生に寄与するコイル有効長の比率の改善には限界があり、駆動力発生の効率の点で問題がある。
【００２１】
また、コイルの有効長を増加させるためにマグネット３０４および３０５の幅Ｊを長くする場合、特に対物レンズ１に近い側に配置されているマグネット３０４の幅Ｊを広くする場合、レンズホルダ３０１の対物レンズ１を保持している部分とフォーカシングコイル１０２およびトラッキングコイル１０３が設けられた部分との接続領域３０１ａおよび３０１ｂの厚みを小さくする必要がある。しかし、この部分の厚みを小さくすると、駆動力の伝達経路の剛性が劣化してしまう。このため、対物レンズ駆動装置の高次共振周波数が低くなり、サーボ帯域が低下することによって、面振れ、偏心に対する対物レンズ１の追従性能が劣化する。これは記録再生信号が劣化する原因となる。
【００２２】
マグネット３０５の幅Ｊを広くした場合、マグネット１０５の周囲に存在するフォーカシングコイル１０２の周回長も大きくなる、このため、コイルの有効率を向上させることができず、フォーカシングコイル３０２への印加電圧に対する発生加速度感度の向上に限界がある。
【００２３】
また従来の対物レンズ駆動装置では、２つのトラッキングコイル３０３のうちの各々一辺のみが駆動力の発生に寄与していた。したがって、トラッキングコイル３０３のコイル有効率の向上には限界があり、トラッキングコイル３０３への印加電圧に対する発生加速度感度の向上に限界があった。
【００２４】
本発明は、このような従来の対物レンズ駆動装置の課題を解決するためになされたもので、小型で薄型の外形を備え、加速度感度をより高くすることができ、光ディスクを高速回転した場合でも良好な追従性能を確保して記録再生信号の劣化を抑制することのできる対物レンズ駆動装置を提供することを目的としている。
【００２５】
【課題を解決するための手段】
本発明の対物レンズ駆動装置は、光ビームを収束させるための対物レンズと、記対物レンズを保持するレンズホルダと、フォーカシングコイルおよび少なくとも１つのトラッキングコイルを有し、レンズホルダに固定されたコイル基板とを含む可動体、ベース、前記ベースに対して、前記可動体を前記対物レンズの光軸方向と平行なフォーカシング方向および前記フォーカシング方向に垂直なトラッキング方向へ移動可能に支持する支持部、および、空隙を介して前記コイル基板を挟むようにベースに固定された第１および第２の多極マグネットを含む。コイル基板において、前記フォーカシングコイルおよび前記トラッキングコイルは互いに平行でありかつ異なる平面において扁平な形状をそれぞれ有し、前記フォーカシングコイルおよび前記トラッキングコイルの少なくとも一部は互いに重なるよう配置されている。
【００２６】
ある好ましい実施形態において、前記対物レンズと前記コイル基板との間に前記第１の多極マグネットが位置している。
【００２７】
ある好ましい実施形態において、前記フォーカシングコイルは前記トラッキングコイルよりも前記第１の多極マグネットに近接しており、前記トラッキングコイルは前記フォーカシングコイルよりも前記第２の多極マグネットに近接している。
【００２８】
ある好ましい実施形態において、前記第１の多極マグネットは、少なくともフォーカシング方向に異極が配列されるよう分割されており、前記第２の多極マグネットは、少なくともトラッキング方向に異極が配列されるよう分割されている。
【００２９】
ある好ましい実施形態において、前記第２の多極マグネットは、第１の磁極領域と、前記第１の磁極領域を囲み、トラッキング方向に延びた平らな底面を有するＵ字状の第２の磁極領域とを含み、前記第１の磁極領域および第２の領域は異なる極に着磁されている。
【００３０】
ある好ましい実施形態において、前記第２の多極マグネットは、前記トラッキング方向に３列に分割され、前記フォーカシング方向に２行に分割されることにより形成された６つの磁極領域を有し、前記６つの磁極領域は互いに隣接する磁極領域が異なる極となるよう着磁されており、前記６つの磁極領域のうち、中央の列であって、上方の行に位置する磁極領域が第１の磁極領域になっている。
【００３１】
ある好ましい実施形態において、前記第１の多極マグネットは前記第２の多極マグネットと同じ構造を備えている。
【００３２】
ある好ましい実施形態において、前記前記第１の多極マグネットは、フォーカシング方向に２行に分割されることにより形成された２つの磁極領域を有し、前記２つ磁極領域はとなるよう着磁されている。
【００３３】
ある好ましい実施形態において、前記コイル基板は、前記トラッキングコイルを２つ有し、前記２つのトラッキングコイルはトラッキング方向に配置されている。
【００３４】
ある好ましい実施形態において、前記第１の多極マグネット、前記第２の多極マグネット、および前記第１の磁極領域のトラッキング方向の幅をそれぞれＭ、ＮおよびＬとしたとき、Ｌ＜Ｍ＜Ｎの関係を満たしている。
【００３５】
ある好ましい実施形態において、前記第２の多極マグネットは、フォーカシング方向におおよそ等しい幅で２行に分割され、トラッキング方向におおよそ１：２：１の幅で３列に分割された６つの磁極領域を有し、前記６つの磁極領域は互いに隣接する磁極領域が異なる極となるよう着磁されており、前記第１の多極マグネットは、前記フォーカシング方向におおよそ等しい幅で２行に分割された２つの磁極領域を有し、前記２つの磁極領域は互いに異なる極となるよう着磁されている。
【００３６】
ある好ましい実施形態において、前記第１の多極マグネットおよび前記第２の多極マグネットはフォーカシング方向の幅がほぼ等しく、前記第１の多極マグネットのトラッキング方向の幅は、前記第２の多極マグネットの中央の磁極領域のトラッキング方向の幅とほぼ等しくなっている。
【００３７】
ある好ましい実施形態において、前記第１の多極マグネットは、前記２の多極マグネットの中央列に位置する２つの磁極領域と対向するよう配置されている。
【００３８】
ある好ましい実施形態において、前記支持部は前記フォーカシング方向およびトラッキング方向に垂直な回転軸の周りに回転可能なように前記可動体を支持しており、前記コイル基板は４つのトラッキングコイルを有し、前記回転軸が前記コイル基板と交わる点を通り、前記フォーカシング方向に平行な第１の軸および、前記トラッキング方向に平行な第２の軸に対して、前記４つのトラッキングコイルは対称な位置に配置されている。
【００３９】
ある好ましい実施形態において、前記第２の軸に対して上方２つのトラッキングコイルは上コイル群を形成するよう直列に接続され、前記第２の軸に対して下方２つのトラッキングコイルは下コイル群を形成するよう直列に接続されている。
【００４０】
ある好ましい実施形態において、前記上コイル群および前記下コイル群に同相成分の電流を通電することで前記トラッキング方向へ前記可動対を移動させ、前記上コイル群および前記下コイル群に互いに逆相成分の電流を通電することにより前記可動体を前記回転軸の周りに回転させる。
【００４１】
ある好ましい実施形態において、前記フォーカシングコイルの巻回軸は前記回転軸と一致している。
【００４２】
また、本発明の光ヘッドは、上記いずれかの対物レンズ駆動装置と、前記光ビームを出射するための光源とを有する。
【００４３】
また、本発明の光ディスク装置は、光ディスクを回転させるためのモータと、前記光ディスに収束した光ビームを照射するよう配置された上記光ヘッドと、前記光ビームを前記光ヘッドの半径方向へ移動させるための移動手段とを備える。
【００４４】
【発明の実施の形態】
（第１の実施形態）
図１は本発明の第１の実施形態である対物レンズ駆動装置５１を示す分解斜視図である。図２（ａ）は、対物レンズ駆動装置５１の平面図である。これらの図において、Ｆはフォーカシング方向を示し、Ｔはトラッキング方向を示している。また、Ｋはフォーカシング方向Ｆおよびトラッキング方向Ｔに垂直な方向を示しており、これらフォーカシング方向Ｆ、トラッキング方向Ｔ、および方向Ｋはそれぞれ、３次元の直交座標における各座標軸の方向に一致する。以下、フォーカシング方向Ｆとトラッキング方向Ｔとを含む面、トラッキング方向Ｔおよび方向Ｋを含む面ならびにフォーカシング方向Ｆおよび方向Ｋを含む面をそれぞれ、Ｆ−Ｔ平面、Ｔ−Ｋ平面ならびにＫ−Ｆ平面と呼ぶことがある。
【００４５】
対物レンズ駆動装置５１は、成形樹脂などからなるレンズホルダ２と、対物レンズ１と、コイル基板３と、第１の多極マグネット４と、第２の多極マグネット５と、ベース６とを備えている。
【００４６】
対物レンズ１は、Ｔ−Ｋ平面と平行となるようにレンズホルダ２に保持されている。このため、対物レンズ１の光軸はフォーカシング方向Ｆと一致する。レンズホルダ２は、対物レンズ１を保持している部分に隣接してフォーカシング方向Ｆに沿って貫通するおよそ長方形の孔２ｈを有している。コイル基板３は、その一部が孔２ｈに挿入されて、レンズホルダ２のおおよそ中央に取り付けられている。コイル基板３は、対物レンズ１と垂直な方向であるＴ−Ｆ平面と平行になっている。
【００４７】
図２（ｂ）は、コイル基板３のＴ断面図を示している。図２（ｂ）に示すように、コイル基板３は、第１の層３’および第２の層３’’を含み、第１の層３’および第２の層３’’にフォーカシングコイル３ａおよびトラッキングコイル３ｂ、３ｃがそれぞれ設けられている。フォーカシングコイル３ａおよびトラッキングコイル３ｂ、３ｃはそれぞれ、コイル基板３と垂直な方向である方向Ｋを軸として、コイル基板３の面と平行に扁平な形状を有するよう回巻されている。トラッキングコイル３ｂとトラッキングコイル３ｃとは直列に接続されている。図１に示すように、フォーカシングコイル３ａは対物レンズ１に近い側配置され、トラッキングコイル３ｂ、３ｃは対物レンズ１から遠い側に配置されている。
【００４８】
図２（ｃ）は、対物レンズ１側からコイル基板３を見た平面図である。図２（ｃ）に示すように、フォーカシングコイル３ａは、トラッキングコイル３ｂ、３ｃとフォーカシング方向Ｆおよびトラッキング方向Ｔに垂直な方向Ｋに積層され、Ｆ−Ｔ平面において重なるようにコイル基板３に配置されている。また、フォーカシングコイル３ａはトラッキング方向のほうがフォーカシング方向よりも長い楕円形状、あるいは、矩形形状を有している。一方、トラッキングコイル３ｂ、３ｃは、トラッキング方向およびフォーカシング方向においてほぼ等しい長さを有する矩形形状を備えている。
【００４９】
本実施形態では、フォーカシングコイル３ａおよびトラッキングコイル３ｂ、３ｃは、プリントコイルからなり、第１の層３’および第２の層３’’の内部に形成されている。しかし、フォーカシングコイル３ａおよびトラッキングコイル３ｂ、３ｃは、たとえばコイル基板３の表面および裏面に形成されていてもよい。また、フォーカシングコイル３ａおよびトラッキングコイル３ｂ、３ｃは、独立した巻線コイルからなり、コイル基板３の表面および裏面に張り合わせられていたり、コイル基板３の内部に埋設されていてもよい。さらに第１の層３’および第２の層３’’の間に他の層が介在していてもよいし、第１の層３’および第２の層３’’自体が複数の副層から構成されていてもよい。
【００５０】
図１に示すように、レンズホルダ２のトラッキング方向Ｔに垂直な２つの側面には各々中継端子板９が固定されており、コイル基板３上に形成されたフォーカシングコイル３ａの両端端子およびトラッキングコイル３ｂ、３ｃの両端端子が半田付けによって接続されている。
【００５１】
対物レンズ１、レンズホルダ２、コイル基板３および中継端子板９によって可動体４１が構成されている。可動体４１は対物レンズ１の光軸を含むＦ−Ｋ面と平行な面に対して対称な形状を有し、この平面とコイル基板３の面と交わる線上に可動体４１の重心が位置するように設定されている。
【００５２】
図１および図２（ａ）に示すように、第１の多極マグネット４は、同一面に複数の磁極領域を有する。本実施形態では、対物レンズ１側に位置する第１の主面４’では、Ｔ−Ｋ面と平行な磁界境界面で区切られた磁極領域４ａおよび磁極領域４ｂを有する。たとえば、磁極領域４ａおよび磁極領域４ｂは、Ｓ極およびＮ極となるよう着磁されている。この場合、第２の主面４’’では、磁極領域４ａおよび磁極領域４ｂに対応する領域がそれぞれＮ極およびＳ極となるよう着磁されている。
【００５３】
第２の多極マグネット５も、同一面に複数の磁極領域を有する。本実施形態では、対物レンズ１側に位置する第１の主面５’では、トラッキング方向Ｔおよびフォーカシング方向Ｆを組み合わせてできる、平らな底面を有するＵ字の磁界境界線で区切られた磁極領域５ａおよび磁極領域５ｂを有する。このため、磁極領域５ａは、平らな底面を有するＵ字形状の磁極領域５ｂに囲まれている。磁極領域５ａおよび磁極領域５ｂは、たとえば、Ｎ極およびＳ極となるよう着磁されている。この場合、第２の主面５’’では、磁極領域５ａおよび磁極領域５ｂに対応する領域がそれぞれＳ極およびＮ極となるよう着磁されている。
【００５４】
第１の多極マグネット４および第２の多極マグネット５は、空隙を介してコイル基板３を挟み込むよう、また、対物レンズ１に近い側に第１の多極マグネット４が配置され、遠い側に第２の多極マグネット５が配置されるよう、ベース６に固定されている。
【００５５】
第１の多極マグネット４の磁極領域４ａおよび第２の多極マグネット５の磁極領域５ａの対向する磁極面は各々Ｓ極とＮ極となっており、互いに異極が対向するようになっている。同様に第１の多極マグネット４の磁極領域４ｂおよび第２の多極マグネット５の磁極領域５ｂの一部対向する磁極面は各々Ｎ極とＳ極となっており、異極が対向するように配置されている。
【００５６】
図３（ｂ）は、コイル基板３、第１の多極マグネット４および第２の多極マグネット５を上から見た図であり、図３（ａ）は、トラッキングコイル３ｂ、３ｃと第２の多極マグネット５との位置関係を示すために、図３（ｂ）に示す矢印Ｕの方向からコイル基板３を見た図である。また、図３（ｃ）は、フォーカシングコイル３ａと第１の多極マグネット４との位置関係を示すために、図３（ｂ）に示す矢印Ｖの方向からコイル基板３を見た図である。
【００５７】
フォーカシングコイル３ａのうちフォーカシング駆動に寄与する有効コイル領域３ａ１は第１の多極マグネット４の磁極領域４ａと、有効コイル領域３ａ２は第１の多極マグネット４の磁極領域４ｂと各々対向している。
【００５８】
トラッキングコイル３ｂのうちトラッキング駆動に寄与する有効コイル領域３ｂ１は第２の多極マグネット５の磁極領域５ａと、有効コイル領域３ｂ２は第２の多極マグネット５の磁極領域５ｂと各々対向している。同様にトラッキングコイル３ｃのうちのトラッキング駆動に寄与する有効コイル領域３ｃ１は第２の多極マグネット５の磁極領域５ａと、有効コイル領域３ｃ２は第２の多極マグネット５の磁極領域５ｂと各々対向している。
【００５９】
図３（ｂ）に示すように、第１の多極マグネット４のトラッキング方向Ｔの幅寸法Ｍと第２の多極マグネット５のトラッキング方向Ｔの幅寸法Ｎおよび磁極領域５ａの幅寸法Ｌの関係は、Ｌ＜Ｍ＜Ｎとなっていることが好ましい。
【００６０】
また、レンズホルダ２において、対物レンズ１を保持する部分と、コイル基板３が取り付けられた部分と接続する接続部２ａおよび２ｂは肉厚になっていることが好ましい。これにより、可動体４１において駆動力の伝達経路の剛性を高めることができる。第１の多極マグネット４のトラッキング方向Ｔの幅寸法Ｍは、接続部２ａおよび２ｂを肉厚にした状態において、第１の多極マグネット４がレンズホルダ２と接触しないような空隙を設けられる程度になっていることが好ましい。
【００６１】
図１に示すように、フォーカシングコイル３ａの両端子およびトラッキングコイル部３ｂ、３ｃの両端子が接続された２つの中継端子板９には、支持部である各々２本のワイヤー７ａ〜７ｄが半田付けにより接続されている。ワイヤー７ａ〜７ｄはベース６に固定されたサスホルダ８に取付けられた固定基板１０に半田付けされている。
【００６２】
ワイヤー７ａ〜７ｄはベリリウム銅やリン青銅等の弾性金属材料からなり、円形、多角形、または楕円形等の断面形状を有する線材、または棒材が用いられる。他の形状の支持部を用いてもよい。ワイヤー７ａ〜７ｄが可動体４１を支持している点の中心である支持中心は、可動体の重心に略一致するように設定されている。
【００６３】
次に、対物レンズ駆動装置５１の動作を図３（ａ）、図３（ｂ）、図３（ｃ）を用いて説明する。
【００６４】
まず、可動体４１のフォーカシング方向Ｆへの駆動動作を説明する。図３（ｃ）に示すように、フォーカシングコイル３ａに対して矢印Ｉｆの方向に電流を流すと、有効コイル領域３ａ１に対向する磁極領域４ａはＳ極であり、有効コイル領域３ａ２に対向する磁極領域４ｂはＮ極であるので、フォーカシングコイル部３ａの有効コイル領域３ａ１、３ａ２にはいずれも矢印Ｐｆ方向の駆動力が発生する。つまり、フォーカシングコイル３ａに発生した駆動力Ｐｆによってレンズホルダ２はフォーカシング方向Ｆに駆動される。
【００６５】
次に、可動体のトラッキング方向Ｔへの駆動動作を説明する。図３（ａ）に示すように、トラッキングコイル部３ｂ、３ｃに対して矢印Ｉｔに電流を流すと、有効コイル領域３ｂ１および有効コイル領域３ｃ１に対向する磁極領域５ａはＮ極、有効コイル領域３ｂ２および有効コイル領域３ｃ２に対向する磁極領域５ｂはＳ極であるので、トラッキングコイル部３ｂ、３ｃの有効コイル領域３ｂ１、３ｂ２、３ｃ１、３ｃ２にはいずれも矢印方向Ｐｔの駆動力が発生する。つまり、トラッキングコイル部３ｂ、３ｃに発生した駆動力Ｐｔによってレンズホルダ２はトラッキング方向Ｔに駆動される。
【００６６】
以上のように、第１の多極マグネット４より幅の大きな第２の多極マグネット５を対物レンズ１から遠い側に配置することにより、コイル基板３から対物レンズ１までを機械的に連結する接続部２ａ、２ｂを肉厚に保ち、駆動力の伝達経路の剛性を劣化させることなくマグネットの容量を増大させることができる。これによりコイルに鎖交する磁束量を増やして加速度感度を向上することができる。
【００６７】
また、幅Ｎを拡大した第２の多極マグネット５に近い側にトラッキングコイル３ｂ、３ｃを配置することにより、第２の多極マグネット５のトラッキングコイル３ｂ、３ｃと対応する部分では、トラッキング方向Ｔに沿って異なる磁極が交互に３つ並ぶ。このためトラッキングコイル３ｂ、３ｃの有効コイル領域は３ｂ１、３ｂ２および３ｃ１、３ｃ２となり、トラッキングコイル３ｂ、３ｃの有効コイル領域を最大限に増やすことができる。したがって、トラッキングコイル３ｂ、３ｃのコイル有効率を大幅に向上することができる。
【００６８】
さらに、第１の多極マグネット４に近い側にフォーカシングコイル３ａを配置することにより、第１の多極マグネット４のフォーカシングコイル３ａと対応する部分では、フォーカシング方向に沿って異なる磁極が２つ並ぶ。このため、フォーカシングコイル３ａの有効コイル領域は３ａ１と３ａ２となり、有効コイル領域を最大限に増やすことができる。したがって、コイル有効率を大幅に向上することができる。
【００６９】
第２の多極マグネット５の磁極領域５ａの幅Ｌを拡大するとトラッキングコイル３ｂ、３ｃのトラッキング方向Ｔのピッチを大きくする必要があるため、許容スペース内でトラッキングコイル３ｂ、３ｃを構成するためには幅Ｌをあまり大きな値にすることはできない。一方、第１の多極マグネット４の幅Ｍは、上述したようにコイル基板３から対物レンズ１までを機械的に連結するレンズホルダ２の接続部２ａ、２ｂを十分に肉厚にできる範囲内で幅Ｌより大きくすることできる。
【００７０】
このとき、第２の多極マグネット５の磁極領域５ａから第１の多極マグネット４の磁極領域４ａへ向かう磁束は、図３（ｂ）に示すように、磁極領域５ａ近傍では、磁極領域５ａの幅Ｌ内に収まっており、磁極領域４ａ近傍では幅Ｍ内に広がる。
【００７１】
このため、磁極領域４ａの幅Ｍを幅Ｌより大きくすることにより、トラッキングコイル３ｂ、３ｃのピッチを拡大することなく、フォーカシングコイル３ａの有効コイル領域３ａ１、３ａ２の有効長を長くすることができ、フォーカシングコイル３ａのコイル有効率を向上させることが可能となる。
【００７２】
また、フォーカシングコイル３ａおよびトラッキングコイル３ｂ、３ｃが、６つの有効コイル領域３ａ１、３ａ２、３ｂ１、３ｂ２、３ｃ１、３ｃ２を備えているのに加えて、有効コイル領域３ａ１、３ａ２、３ｂ１、３ｃ１は、第１の多極マグネット４の磁極領域４ａと第２の多極マグネット５の磁極領域５ａとに挟まれている。このため、これらの有効コイル領域では鎖交する磁束量が増大し、フォーカス方向およびトラッキング方向のさらなる加速度感度の向上が可能となる。
【００７３】
また、コイル基板３において、扁平なフォーカシングコイル３ａが広がる面は扁平なトラッキングコイル３ｂ、３ｃが広がる面と異なっており、フォーカシングコイル３ａおよびトラッキングコイル３ｂ、３ｃの少なくとも一部が互いにフォーカシング方向およびトラッキング方向と垂直な方向に積層して重なるように、これら２つの面がおおよそ平行に配置される。このため、フォーカシングコイル３ａおよびトラッキングコイル３ｂ、３ｃを設けるコイル基板３の面積を小さくすることができ、対物レンズ駆動装置５１全体の寸法を小さくすることができる。
【００７４】
なお、第１の多極マグネット４の磁極領域４ａと磁極領域４ｂとを分ける磁界境界面および第２の多極マグネット５の磁極領域５ａとび磁極領域５ｂとを分ける磁界境界線は、必ずしも、厳密にＴ面と平行あるいはトラッキング方向Ｔおよびフォーカシング方向Ｆと平行である必要はない。各磁極領域４ａ、４ｂ、５ａ、５ｂが有効コイル領域３ａ１、３ａ２、３ｂ１、３ｂ２、３ｃ１、３ｃ２に対応しておれば上述した効果を得ることができる。
【００７５】
（第２の実施形態）
図４は本発明の第２の実施形態である対物レンズ装置５２を示す分解斜視図である。図４において、第１の実施形態である対物レンズ駆動装置５１と同じ構成要素には同じ参照符号を付している。図４に示すように、対物レンズ駆動装置５２は、第２の多極マグネット１１を備えている点で第１の実施形態とは異なっている。
【００７６】
第２の多極マグネット１１は、トラッキング方向に平行な線によって２行に分割され、フォーカシング方向Ｆに平行な線によって３列に分割されることにより得られる四角形状の磁極領域１１ａ、１１ｂ、１１ｃ、１１ｄ、１１ｅ、１１ｆを有している。
【００７７】
隣接する磁極領域は互いに異なる磁極を有している。第１の主面１１’において、磁極領域１１ａ、１１ｃ、１１ｅはＳ極になっており、磁極領域１１ｂ、１１ｄ、１１ｆはＮ極になっている。第１の多極マグネット４の第１の主面４’における磁極領域４ａと第２の多極マグネット１１の第１の主面１１’における磁極領域１１ｂは対向し、互いに異極になっている。同様に第１の多極マグネット４の第１の主面４’における磁極領域４ｂと第２の多極マグネット１１の第１の主面１１’における磁極領域１１ｅは対向し、互いに異極になっている。
【００７８】
図５（ｂ）は、コイル基板３、第１の多極マグネット４および第２の多極マグネット１１を上から見た図であり、図５（ａ）は、トラッキングコイル３ｂ、３ｃと第２の多極マグネット１１との位置関係を示すために、図５（ｂ）に示す矢印Ｕの方向からコイル基板３を見た図である。また、図５（ｃ）は、フォーカシングコイル３ａと第１の多極マグネット４との位置関係を示すために、図５（ｂ）に示す矢印Ｖの方向からコイル基板３を見た図である。
【００７９】
トラッキングコイル３ｂのうち、トラッキング駆動に寄与する有効コイル領域３ｂ１は第２の多極マグネット１１の磁極領域１１ｂと、有効コイル領域３ｂ２は第２の多極マグネット１１の磁極領域１１ａと各々対向している。同様にトラッキングコイル３ｃのうちのトラッキング駆動に寄与する有効コイル領域３ｃ１は第２の多極マグネット１１の磁極領域１１ｂと、有効コイル領域３ｃ２は第３の多極マグネット１１の磁極領域１１ｃと各々対向している。
【００８０】
第１の多極マグネット４のトラッキング方向Ｔの幅寸法Ｍと第２の多極マグネット１１のトラッキング方向Ｔの幅寸法Ｎおよび中央の列に位置する磁極領域１１ｂの幅寸法Ｌの関係は第１の実施形態と同様、Ｌ＜Ｍ＜Ｎとなっている。
【００８１】
第２の多極マグネット１１において、Ｎ極とＳ極の面積の比率は、磁極領域１１ｂ、１１ｄ、１１ｆの面積の和と磁極領域１１ａ、１１ｃ、１１ｅの面積の和との比であり、ほぼ等しい。このため、Ｎ極とＳ極の分布に偏りがなく、フォーカシング方向Ｆの磁界強度分布のピーク位置もトラキング方向において変化が小さくなる。これにより、トラッキング方向Ｔへの可動体４１の駆動中心と支持中心を一致させ易くなり、対物レンズ１が傾くことなく、可動体４１をトラッキング方向へ移動させることができる。
【００８２】
また、Ｎ極とＳ極の面積の比率がほぼ等しいため、マグネットを着磁する際のばらつきも小さく、磁界強度、着磁パターンの安定性が高い。したがって、個体差のすくない、安定した特性を有する対物レンズ駆動装置５２を得ることができる。
【００８３】
（第３の実施形態）
図６は本発明の第３の実施形態である対物レンズ装置５３を示す分解斜視図である。本実施形態の対物レンズ装置５３は、第１および第２の実施形態の対物レンズ駆動装置の動作に加えて、ディスクの円周方向を軸とする対物レンズのディスク半径方向の傾き（以下、ラジアルチルトという）を補正することができる。対物レンズのラジアルチルトを調整することにより、ディスクのデータ面に照射した光の収束領域の収差を低減する。図において、矢印Ｆはフォーカシング方向、矢印Ｔはトラッキング方向、矢印Ｒはラジアルチルト方向を示している。また、フォーカシング方向Ｆおよびトラッキング方向Ｔに垂直な方向を矢印Ｗで示している。第１の実施形態と同様、フォーカシング方向Ｆおよびトラッキング方向Ｔに平行な面をＦ−Ｔ面と呼ぶことがある。
【００８４】
図６に示すように、対物レンズ装置５３は、対物レンズ１０１、レンズホルダ１０２、コイル基板１０４、第１の多極マグネット１１６および第２の多極マグネット１１５を備える。
【００８５】
対物レンズ１０１およびコイル基板１０４はレンズホルダ１０２にたとえば固着などの方法により取り付けられ、可動体１２０を構成している。可動体１２０には、対物レンズ１０１が図示しないディスクとの衝突を防止するためのレンズプロテクタ２０３が設けられている。
【００８６】
コイル基板１０４はフォーカシングコイル１０５のみを配置した層からなる第１の層１０４ａと、トラッキングコイル１０６、１０７、１０８、１０９のみを配置した層からなる第２の層１０４ｂとを含み、これらは積層されている。第１の層１０４ａおよび第２の層１０４ｂは、たとえば、従来の対物レンズ駆動装置と同様、薄いガラスエポキシ等の基板および基板上に銅箔を渦巻状にエッチングして構成したコイルを有する。第１の層１０４ａおよび第２の層１０４ｂは積層され、表面に保護膜を形成することによりコイル基板１０４を構成している。第１の層１０４ａの表面にはコイル端子となるランド１１０ａ、１１０ｂ、１１０ｃ、１１０ｄ、１１０ｅおよび１１０ｆが設けられている。
【００８７】
フォーカシングコイル１０５およびトラッキングコイル１０６、１０７、１０８、１０９は、第１の層１０４ａおよび第２の層１０４ｂのどちらの主面に設けられていてもよく、第１の層４ａおよび第２の層４ｂの内部に設けられていてもよい。
【００８８】
また、フォーカシングコイル１０５およびトラッキングコイル１０６、１０７、１０８、１０９は、独立した巻線コイルからなり、コイル基板１０４の表面および裏面に張り合わせられていたり、コイル基板１０４の内部に埋設されていてもよい。さらに第１の層１０４ａおよび第２の１０４ｂの間に介在する他の層が存在していてもよいし、第１の層１０４ａおよび第２の層１０４ｂ自体が複数の副層から構成されていてもよい。
【００８９】
従来の対物レンズ駆動装置において、プリントコイルを用いてフォーカシングコイルやトラッキングコイルを構成する場合、フォーカシングコイルやトラッキングコイルは同一面内に形成されていた。しかし、コイル基板１０４において、扁平なフォーカシングコイル５が広がる面は扁平なトラッキングコイル１０６、１０７、１０８、１０９が広がる面と異なっており、フォーカシングコイル５およびトラッキングコイル１０６、１０７、１０８、１０９の少なくとも一部がフォーカシング方向およびトラッキング方向と垂直な方向に積層して重なるように、これら２つの面がおおよそ平行に配置される。各々のコイルの接続およびその配置については後述する。
【００９０】
図６に示すように、対物レンズ駆動装置５３は、サスペンションワイヤ１１１ａ、１１１ｂ、１１１ｃ、１１１ｄ、１１１ｅ、１１１ｆと、固定基板１１２と、ワイヤホルダ１１３と、ヨークベース１１４とをさらに備える。
【００９１】
サスペンションワイヤ１１１ａ、１１１ｂ、１１１ｃ、１１１ｄ、１１１ｅ、１１１ｆの一端は、コイル基板１０４に設けたランド１１０ａ、１１０ｂ、１１０ｃ、１１０ｄ、１１０ｅおよび１１０ｆに半田付け等の手段で固着されている。また、他端は固定基板１１２へ同様の手段にて固着される。固定基板１１２とワイヤホルダ１１３とヨークベース１１４とは接着剤やネジ等の手段で各々が固定されており、全体として固定部１２１を構成している。第１の多極マグネット１１６と第２の多極マグネット１１５とは可動体１２０のコイル基板１０４の両側より一定の空隙を介して挟むようにしてヨークベース１１４へ固着されている。第１の多極マグネット１１６および第２の多極マグネット１１５の着磁についてはコイルパターンとの関係を含めて後述する。
【００９２】
サスペンションワイヤ１１１ａ、１１１ｂ、１１１ｃ、１１１ｄ、１１１ｅ、１１１ｆは互いにおおよそ平行となるよう配置されており、可動体１２０が固定部１２１に対してフォーカシング方向Ｆおよびトラッキング方向Ｔへ並進可能であり、かつ、ラジアルチルト方向Ｒへ回転可能なように支持する。サスペンションワイヤ１１１ａ、１１１ｂ、１１１ｃ、１１１ｄ、１１１ｅ、１１１ｆは、たとえば、ベリリウム銅合金やリン青銅などの導電性材料で構成されており、可動体１２０の弾性支持部であると同時にコイル基板１０４への通電部を兼ねるワイヤホルダ１１３には切り欠き部１３ａが設けられ、たとえば、ゲル状のダンピング部材が注入される。ダンピング部材はその粘性によりサスペンションワイヤ１１１ａ、１１１ｂ、１１１ｃ、１１１ｄ、１１１ｅ、１１１ｆを介して伝わる可動体１２０の振動を減衰する。
【００９３】
次に第１の多極マグネット１１６と第２の多極マグネット１１５の着磁形態を説明する。図６に示すように、第１の多極マグネット１１６は、トラッキングコイル１０６、１０７、１０８、１０９よりもフォーカシングコイル１０５に近接して配置され、第２の多極マグネット１１５は、フォーカシングコイル１０５よりもトラッキングコイル１０６、１０７、１０８、１０９に近接して配置される。
【００９４】
第２の多極マグネット１１５は、トラッキング方向Ｔに垂直でフォーカシング方向Ｆに平行な２つの面により、トラッキング方向Ｔにおおよそ１：２：１の幅で３列に分割されている。また、フォーカシング方向Ｆに垂直でトラッキング方向Ｔに平行な面により、フォーカシング方向Ｆにおおよそ１：１の幅で２列に分割されている。第２の多極マグネット１１５の磁束はコイル基板１０４と垂直な方向（矢印Ｗ方向）へ貫く。隣接する分割領域はＮ極とＳ極が交番着磁されており、極性はたとえば、図６に示す通りである。
【００９５】
第１の多極マグネット１１６は、フォーカシング方向Ｆの高さが第２の多極マグネット１１５のそれに等しく、トラッキング方向Ｔの幅は第２の多極マグネットの中央の列の着磁領域の幅にほぼ等しい。また、第１の多極マグネット１１６はフォーカシング方向Ｆに垂直でトラッキング方向Ｔに平行な面により、フォーカシング方向Ｆにおおよそ１：１の幅で２分割されている。分割された磁極領域の極性は、第２の多極マグネット１１５と対極関係になるように決定される。具体的には第２の多極マグネット１１５のＮ極に対して第１の多極マグネット１１６のＳ極が対向するように着磁されており、第２の多極マグネット１１５と第１の多極マグネット１１６との空隙に配置したコイル基板１０４により多くの磁束を貫通させた磁気回路を構成する。
【００９６】
第２の多極マグネット１１５および第１の多極マグネット１１６を上記のような幅を有する領域に分割して多極着磁するのは、装置の小型化に起因して生じる駆動感度低下を防ぐためである。具体的には、フォーカシング方向Ｆについて等分割するのは、ノートパソコン用途などの薄型光ディスク装置における、フォーカシング方向の寸法の制約が厳しいためである。一般に、磁石は小さい面積に多極着磁すると平行磁界が得られず最大磁束密度が低下する。このため、可能な限り着磁分割数は少なく、かつ着磁幅も可能な限り大きいほうが好ましい。本実施形態では、第１の多極マグネット１１６および第２の多極マグネット１１５をフォーカシング方向におおよそ等分割することにより、磁束密度の低下を最小限に防いでいる。
【００９７】
次に、第２の多極マグネット１１５をトラッキング方向におおよそ１：２：１の割合で３分割するのは、後述するトラッキングコイルの有効コイル領域すべてに磁束を供給するためである。中央の着磁領域を両側の約２倍の幅にすることによって、トラッキングコイルおよびフォーカシングコイルに寄与する磁束を多くし、トラッキング方向の駆動感度とフォーカシング方向の駆動感度の双方を最大化することができる。
【００９８】
第２の多極マグネット１１５の中央の着磁領域を上述した割合よりも拡大した場合、中央の着磁領域が供給する磁束が増す割合に比べて、両側の着磁領域が供給する磁束の減少する割合が大きくなる。このため、トラッキング方向の駆動に必要な磁束が十分得られなくなり、トラッキング方向の駆動効率が低下する。また、第２の多極マグネット１１５の中央の着磁領域を上述した割合より縮小した場合、中央の着磁領域が供給する磁束が十分でなくなり、フォーカシング方向の駆動効率が低下する。したがって、第２の多極マグネット１１５はトラッキング方向におおよそ１：２：１の割合で３分割されているのが最も効率がよい。ただし、コイルパターンの配置とマグネットの寸法制限条件により最適な分割の割合は多少変動するので、厳密に分割比が１：２：１である場合が最適であるとは限らない。
【００９９】
なお、薄型の光ディスク装置では、対物レンズ１近傍の寸法制約も厳しいため、２つあるマグネットのうちトラッキング方向の幅がより小さい第１の多極マグネット１１６を対物レンズ１側に配置し、第２の多極マグネット１１５を対物レンズから離れた側に配置している。これにより、第１および第２の実施形態で説明したように、レンズホルダ１０２において、対物レンズ１０１を保持している部分と、コイル基板１０４を保持している部分との接続部分を肉厚にすることができ、レンズホルダ１０２の剛性を高めることができる。また、第２の多極マグネット１１５は主にトラッキング方向に駆動するための磁束を供給することから、第２の多極マグネット１１５をトラッキングコイル１０６、１０７、１０８、１０９により近接させることができる。
【０１００】
図７は、コイル基板１０４におけるフォーカシングコイル１０５およびトラッキングコイル１０６、１０７、１０８、１０９の接続関係を示す配線図である。図７において、白丸印はコイルの接続端子であり、図６のランド１１０ａ〜１１０ｆに各々対応する。図６において、ランド１１０ａ、１１０ｃ、１１０ｄ、１１０ｆを頂点とする長方形の中心は、サスペンションワイヤ１１１ａ、１１１ｂ、１１１ｃ、１１１ｄ、１１１ｅ、１１１ｆが可動体１２０を支持している点の中心である支持中心点Ｏと一致する。図では支持中心点Ｏを２箇所示しているが、第１の層１０４ａおよび第２の層１０４ｂは互いに張り合わせられるので、これらは、同一の点を表す。支持中心点Ｏは、可動体１２０のフォーカシング方向およびトラッキング方向に垂直な回転軸（ラジアルチルト方向）がコイル基板１０４と交わる点である。
【０１０１】
フォーカシングコイル１０５は、支持中心点Ｏをおおよそ中心として対称にコイル基板１０４上に配置されている。また、フォーカシングコイル１０５は矢印Ｗと平行な線を巻回軸とし、トラッキング方向Ｔに長く、Ｆ−Ｔ面と平行な面に扁平な形状を有する。ランド１１０ｅとランド１１０ｂとの間に所定の電圧を印加すれば、図６のコイル基板１０４ａ上に示した矢印方向へ電流が流れるように配線接続されている。フォーカシングコイル１０５に流れる電流と、第２の多極マグネット１１５および第１の多極マグネット１１６の空隙に生じる磁束との相互作用、すなわちフレミングの法則に従う電磁力によりフォーカシング方向Ｆへ駆動するフォーカシング駆動部が構成される。
【０１０２】
トラッキングコイル１０６、１０７、１０８、１０９はフォーカシングコイル１０５と同様な巻回軸を有し、Ｆ−Ｔ面と平行な面に扁平な形状を有する。図６に示すように、支持中心点Ｏを通るフォーカシング方向Ｆの軸とトラッキング方向Ｔの軸について軸対称に配置される。これら４つのトラッキングコイルのうち、トラッキングコイル１０６とトラッキングコイル１０７とが対となって上コイル群を構成し、トラッキングコイル１０８とトラッキングコイル１０９とが対となって下コイル群を構成する。
【０１０３】
具体的には、図７に示すようにトラッキングコイル１０６とトラッキングコイル１０７は直列接続されており、ランド１１０ｄとランド１１０ａとの間に所定の電圧を印加すれば、図６のコイル基板１０４上に示した矢印方向へ電流が流れるように接続されている。トラッキングコイル１０８とトラッキングコイル１０９も同様に直列接続されており、ランド１１０ｆとランド１１０ｃの間に所定の電圧を印加すれば、図６に示すコイル基板１０４上の矢印方向へ電流が流れるように配線接続されている。
【０１０４】
上コイル群はサスペンションワイヤ１１１ｄおよび１１１ａを通じて、下コイル群はサスペンションワイヤ１１１ｆおよび１１１ｃを通じてそれぞれ個別に電流を流すことができる。フォーカシング駆動部の場合と同様、上コイル群および下コイル群へと流す電流と、第１の多極マグネット１１６および第２の多極マグネット１１５の空隙に生じる磁束との相互作用によりトラッキング駆動部およびラジアルチルト駆動部が構成される。
【０１０５】
次に、対物レンズ駆動装置５３の動作を説明する。図８は、対物レンズ駆動装置５３におけるコイルパターンと磁極の配置とを示す透視図である。図においてコイル基板１０４と第１の多極マグネット１１６および第２の多極マグネット１１５とをコイル基板１０４に垂直な方向（図６の矢印Ｗ方向）から重ねて透視している。
【０１０６】
図８において、矢印Ｆと矢印Ｔおよび点Ｏは図６におけるフォーカシング方向Ｆ、トラッキング方向Ｔおよび可動体の支持中心点Ｏにそれぞれ対応する。２点鎖線ＭＢ１および２点鎖線ＭＢ２は第２の多極マグネット１１５のトラッキング方向Ｔの磁界境界線であり、２点鎖線ＭＢ３は、第１の多極マグネット１１６および第２の多極マグネット１１５のフォーカシング方向Ｆの磁界境界線である。
【０１０７】
簡単のため、磁界境界線ＭＢ３を境界としてフォーカシング方向Ｆにフォーカシングコイル１０５を分割し、領域１０５ａおよび領域１０５ｂに区分して動作を説明する。まず、ランド１１０ｅとランド１１０ｂとの間に所定の電圧を印加すると、フォーカシング駆動電流Ｉｆが流れる。第１の多極マグネット１１６と第２の多極マグネット１１５との空隙に生じている磁束は、磁界境界線ＭＢ３より上方に位置する領域１０７ａにおいて紙面に対して垂直かつ手前方向（図６の矢印Ｗと反対方向）に向いており、磁界境界線ＭＢ３より下方に位置する領域１０７ｂにおいて紙面に対して垂直かつ奥行き方向（図６の矢印Ｗ方向）に向いている。よって、電流の向きと磁束の向きに注意してフレミングの法則を適用すると、領域１０７ａと領域１０７ｂでは共に同一方向の電磁力Ｆｆがフォーカシングコイル１０５に作用し、フォーカシング方向Ｆへコイル基板１０４を駆動する。その結果、レンズホルダ１０２を介してコイル基板１０４および対物レンズ１０１が一体となった可動体１２０がフォーカシング方向へ並進移動する。電流Ｉｆの向きを反対方向にすれば、逆向き電磁力Ｆｆと逆向きの電磁力をえることができる。これにより、フォーカシング動作が実現する。
【０１０８】
次に、支持中心点Ｏを中心に軸対称配置されるトラッキングコイル１０６、１０７、１０８、１０９の動作を、磁界境界線ＭＢ１およびＭＢ２によって区分される領域ごとに説明する。トラッキングコイル１０６は磁界境界線ＭＢ１によって領域１０６ａと領域１０６ｂに区分される。トラッキングコイル１０７、１０８、１０９も同様に参照符号に添え字ａと添え字ｂをつけて示す領域にそれぞれ区分される。添え字ａがつく領域１０６ａ、領域１０７ａ、領域１０８ａおよび領域１０９ａは紙面に対して垂直かつ手前方向（図６の矢印Ｗと反対方向）に磁束が向いており、添え字ｂがつく領域１０６ｂ、領域１０７ｂ、領域１０８ｂおよび領域１０９ｂは紙面に対して垂直かつ奥行き方向（図６の矢印Ｗ方向）に磁束が向いている。
【０１０９】
ランド１１０ｄとランド１１０ａの間に所定の電圧を印加すれば、上コイル群をなす直列接続されたトラッキングコイル１０６およびトラッキングコイル１０７に電流Ｉｔ１が流れる。フォーカシングコイル１０５と同様、上コイル群にフレミングの法則を適用すると、トラッキングコイル１０６およびトラッキングコイル１０７に対してトラッキング方向Ｔに電磁力Ｆｔ１が作用する。
【０１１０】
上コイル群と同様にして、ランド１１０ｆとランド１１０ｃの間に所定の電圧を印加すれば、下コイル群をなす直列接続されたトラッキングコイル１０８およびトラッキングコイル１０９に電流Ｉｔ２が流れ、トラッキングコイル１０８およびトラッキングコイル１０９に対してトラッキング方向Ｔに電磁力Ｆｔ２が作用する。したがって、電磁力Ｆｔ１と電磁力Ｆｔ２の合力により対物レンズ１をトラッキング方向Ｔへ可動体１２０が並進移動する。電流Ｉｔ１と電流Ｉｔ２の向きを同相で反対向きにすれば逆向きの力がそれぞれのトラッキングコイルに働く。これによりトラッキング動作が実現する。
【０１１１】
次に、ラジアルチルト動作を説明する。図９は、対物レンズ駆動装置５３のラジアルチルト動作時における電流方向と磁極との関係を示す図である。図９では、フォーカシングコイル１０５を示していない。図８に示すトラッキング動作とは異なり、ラジアルチルト動作では、下コイル群をなすトラッキングコイル１０８およびトラッキングコイル１０９の電流の向きを反転させ、上コイル群と逆相の電流を印加する。
【０１１２】
上コイル群をなすトラッキングコイル１０６およびトラッキングコイル１０７の電流Ｉｔ２は図８と同じであるので、上コイル群に作用する電磁力Ｆｔ１もトラッキング方向Ｔへ働く。一方、下コイル群をなすトラッキングコイル１０８およびトラッキングコイル１０９の電流Ｉｔ２は図８と逆向きであるので、下コイル群には、電磁力Ｆｔ２はトラッキング方向Ｔと逆向きに働く。したがって、電磁力Ｆｔ１と電磁力Ｆｔ２の合力により、支持中心点Ｏを中心に矢印Ｍの向きにモーメントが生じる。また、トラッキング駆動電流Ｉｔ１とトラッキング駆動電流Ｉｔ２の駆動電流の向きを互いに逆相で反対向きにすればモーメントは矢印Ｍと逆向きに働く。上コイル群と下コイル群に流す電流を互いに逆相にすることにより、対物レンズ１０１をラジアルチルト方向に回転駆動させることが可能となる。これにより、ラジアルチルト動作が実現する。
【０１１３】
以上まとめると、トラッキングコイルの上コイル群と下コイル群とに同相の電流を通電した場合はトラッキング方向Ｔへ可動体１２０を並進移動させることができ、上コイル群と下コイル群とに互いに逆相の電流を通電した場合はラジアルチルト方向Ｒへ可動体１２０を回転駆動することができる。
【０１１４】
次に、対物レンズ駆動装置５３が小型でありながら、可動体１２０をフォーカシング方向およびトラッキング方向へ移動させた場合、静的ラジアルチルトの発生が少ないことについて述べる。
【０１１５】
まず、第１の多極マグネット１１６および第２の多極マグネット１１５により形成される磁束強度分布を説明し、その後、フォーカシング駆動電流のみによって生じるモーメントとトラッキング駆動電流のみによって生じるモーメントを相殺させて、静的ラジアルチルトの発生量を低減する作用について述べる。
【０１１６】
図１０（ｂ）は、コイル基板１０４、第１の多極マグネット１１６および第２の多極マグネット１１６を、コイル基板１０４に垂直な方向（図６の矢印Ｗ方向）から重ねて透視した平面図である。図１０（ａ）および（ｃ）は、対物レンズ駆動装置５３の図１０（ｂ）に示すＡ−Ａ線およびＢ−Ｂ線における断面をそれぞれ示している。
【０１１７】
これらの図において、コイル基板１０４、ヨークベース１１４、第１の多極マグネット１１６、第２の多極マグネット１１５、サスペンションワイヤ１１１ａ、１１１ｂ、１１１ｃ、１１１ｄ、１１１ｄ、１１１ｅ、１１１ｆが示されている。ヨークベース１１４は、その一部を折り曲げることにより形成されたバックヨーク部分１１４ａ、１１４ｂを含み、第１の多極マグネット１１６および第２の多極マグネット１１５によって形成される磁気回路の一部をなしている。また、第１の多極マグネット１１６および第２の多極マグネット１１５のそれぞれの両主面における極性を文字Ｎと文字Ｓで表している。
【０１１８】
図１０（ａ）および（ｃ）において、太実線Ｈ１およびＨ２はそれぞれコイル基板１０４を貫く磁界強度を示している。これらの図に示すように、Ａ−Ａ線断面およびＢ−Ｂ線断面における磁界強度分布は一様でない。太実線Ｈ１より、第１の多極マグネット１１６と第２の多極マグネット１１５の中央の着磁領域が供給する磁束は、両側の着磁領域が供給する磁束に比べて約２倍程度大きくなっている。
【０１１９】
しかし、図１０（ａ）から明らかなように、磁界強度はＢ−Ｂ線断面を対称面として対象に分布しており、また、図１０（ｃ）に示すように、Ｂ−Ｂ線断面における点Ｏを中心として磁界強度は点対称に分布している。このため、可動体１２０をフォーカシング方向のみへ駆動しかつトラッキング方向へ駆動しない場合、磁場の対称性とフォーカシングコイルの対称性により静的ラジアルチルトはほとんど発生しない。また、可動体１２０をトラッキング方向のみへ駆動しかつフォーカシング方向へ駆動しない場合も同様に、磁場の対称性とトラッキングコイルの対称性により静的ラジアルチルトはほとんど発生しない。
【０１２０】
次に、フォーカシング方向およびトラッキング方向へ同時に可動体１２０を駆動した場合における、静的ラジアルチルトの低減効果について図１１（ａ）および（ｂ）を参照しながら説明をする。図１１（ａ）および（ｂ）は対物レンズ駆動装置５３において、フォーカシング方向へ可動体１２０を移動させるための電流とトラッキング方向へ可動体１２０を移動させるため駆動電流によって生じるモーメントを模式的に表した説明図である。
【０１２１】
図１１（ａ）および（ｂ）において、コイル基板１０４と第１の多極マグネット１１６と第２の多極マグネット１１５の位置をコイル基板１０４に垂直な方向（図６の矢印Ｗ方向）から重ねて透視している。磁極の向き、各コイルに流れる電流の向きおよび符号については図８と同じである。　図１１（ａ）および（ｂ）に示すように、第１の多極マグネット１１６および第２の多極マグネット１１５を基準にして、コイル基板１０４がフォーカシング方向Ｆとトラッキング方向Ｔへ移動し、支持中心点Ｏがマグネットの中心ＭＣから矢印Ｅ方向に移動している。
【０１２２】
図１１（ａ）はフォーカシングコイル１０５の位置とそれに流れる電流によって発生する電磁力に着目した図であり、図１１（ｂ）はトラッキングコイル１０６、１０７、１０８、１０９の位置とそれらに流れる電流によって発生する電磁力に着目した図である。これらの図において磁界強度分布が最大と位置を点Ｎｍａｘおよび点Ｓｍａｘで示している。この磁界強度分布が最大となる位置点Ｎｍａｘおよび点Ｓｍａｘで生じる力に着目して、動作の概要を説明する。
【０１２３】
図１１（ａ）に示す点Ｎｍａｘおよび点Ｓｍａｘにおいて、フォーカシングコイル１０５には、フォーカシングコイル１０５に流れる電流Ｉｆの向きおよび大きさならびに磁束の密度および方向によって定まる力Ｆ１および力Ｆ２が作用する。電流Ｉｆによる支持中心点Ｏ回りのモーメントＭｆは、力Ｆ１の回転成分Ｓ１と半径ｒ１の積と、力Ｆ２の回転成分Ｓ２と半径ｒ２の積とを加算した値である。具体的にはＭｆ＝Ｓ１×ｒ１＋Ｓ２×ｒ２である。図１１（ａ）に示すように、モーメントＭｆは紙面に向かって右回転方向（図６の矢印Ｒ方向）に作用する。
【０１２４】
また、図１１（ｂ）に示す点Ｎｍａｘと点Ｓｍａｘにおいて、トラッキングコイル１０６、１０７、１０８、１０９には、トラッキングコイル１０６、１０７、１０８、１０９に流れる電流Ｉｔ１および電流Ｉｔ２の向きおよび大きさならびに磁束の密度および方向により定まる力Ｆ３および力Ｆ４が作用する。電流Ｉｔ１および電流Ｉｔ２による支持中心点Ｏ回りのモーメントＭｔは、力Ｆ３の回転成分Ｓ３と半径ｒ３との積と、力Ｆ４の回転成分Ｓ４と半径ｒ４との積とを加算した値である。具体的にはＭｔ＝−Ｓ３×ｒ３＋Ｓ４×ｒ４である。図１１（ｂ）より、モーメントＳ３×ｒ３とモーメントＳ４×ｒ４の大小比較すると、モーメントＭｔは紙面に向かって左回転方向（図６の矢印Ｒと反対方向）に作用する。なぜなら、図１１（ｂ）より、回転成分Ｓ３と回転成分Ｓ４はほぼ等しく、半径ｒ３に比べて半径ｒ４が大きいからである。
【０１２５】
このように、フォーカシング方向に可動体１２０を移動させる駆動電流Ｉｆによって生じるモーメントＭｆと、トラッキング方向に可動体１２０を移動させる駆動電流Ｉｔ１およびＩｔ２によって生じるモーメントＭｔとは互いに逆向きに作用する。すなわち、フォーカシング駆動電流のみによって生じるモーメントとトラッキング駆動電流のみによって生じるモーメントとが相殺しており、その結果、静的ラジアルチルトの発生量が低減している。したがって、対物レンズ駆動装置５３において、フォーカシング方向とトラッキング方向へと同時に可動体１２０を駆動した場合においても静的ラジアルチルトの発生量は少ない。
【０１２６】
以上、図１１（ａ）および（ｂ）を参照して説明した動作は、磁界強度の大きな成分に着目した粗い近似によるものである。詳しくは、コイルパターンに流れる電流および磁界強度により発生する電磁力を微小区域ごとに計算し、支持中心点Ｏまわりのモーメントを積分によって算出すれば、静的ラジアルチルト低減の効果がさらに明確になる。その効果についてグラフを参照しながら説明する。
【０１２７】
図１２（ａ）から（ｃ）は、対物レンズ駆動装置５３における駆動電流と発生する支点Ｏ回りのモーメントの計算結果を示すグラフである。これらグラフはサスペンションワイヤのバネ定数、磁束密度の分布および駆動電流をパラメータとして適当な値に設定して求められた結果を３次元で示している。グラフ平面の縦軸と横軸はそれぞれ可動体のフォーカシング方向とトラッキング方向の位置を表しており単位はミリメートルである。高さ方向の軸はモーメントの大きさを正規化して示している。図１１（ａ）および（ｂ）において紙面に対して左回転方向（図６の矢印Ｒと反対方向）のモーメントを正としている。
【０１２８】
図１２（ａ）はフォーカシング方向へ駆動した場合の電流Ｉｆによって生じるモーメントＭｆをグラフ化しており、図１２（ｂ）はトラッキング方向へ駆動した場合の電流Ｉｔ１と電流Ｉｔ２によって生じるモーメントＭｔをグラフ化している。図１２（ｃ）は電流Ｉｆ、電流Ｉｔ１および電流Ｉｔ２によって生じるモーメントを全て合成しており、モーメントＭｆとモーメントＭｔを加算したグラフである。何れのグラフも濃灰色はモーメントが負値であることを、白色はモーメントが零値または正値であることを示している。
【０１２９】
図１２（ａ）における点Ｐは図１１（ａ）の状態に対応しており、図１２（ｂ）における点Ｑは図１１（ｂ）の状態に対応する。フォーカシング方向およびトラッキング方向へ可動体１２０を同時に駆動した場合において、点Ｐにおけるモーメントは負であり、点Ｑにおけるモーメントは正であるから、両者のモーメントは相殺する。グラフ全体をみれば、図１２（ａ）の鞍型と図１２（ｂ）の鞍型は互いに符号が逆になる分布をしており、他のフォーカシング位置とトラッキング位置においても同様にモーメントが相殺されている。このため、図１２（ｃ）に示すように、対物レンズ駆動装置５３ではモーメントが相殺され、静的ラジアルチルトの発生量が少なくなっている。
【０１３０】
このようなモーメントの相殺効果に加えて、対物レンズ駆動装置５３では、フォーカシングコイル１０５がトラッキングコイル１０６、１０７、１０８、１０９と重なっていることによる他の相殺効果が得られる。具体的には、フォーカシングコイル１０５とトラッキングコイル１０６、１０７、１０８、１０９が重なっていることにより、これらのコイルは、第１の多極マグネット１１６と第２の多極マグネット１１５との空隙の磁束を共用する。したがって、マグネットの着磁に強弱が生じている場合、その影響はフォーカシングコイル１０５およびトラッキングコイル１０６、１０７、１０８、１０９にそれぞれ同じ割合で影響する。
【０１３１】
すなわち、マグネットの着磁強度が変化した場合でも、フォーカス電流のみによって生じるモーメント変化とトラッキング電流のみによって生じるモーメント変化は同程度となり、両者の変化量は相殺する。この特徴は、フォーカシングコイル１０５およびトラッキングコイル１０６、１０７、１０８、１０９が重なりあい同一の磁場を利用すると共に、両者のモーメントが互いに逆向きに働くように着磁パターンとコイルパターンを決定しているためである。このため、静的ラジアルチルトの発生を抑えると同時に、第１の多極マグネット１１６および第２の多極マグネット１１５の着磁のばらつきに対する変動も抑制することができる。
【０１３２】
このように本実施形態によれば、扁平形状を有するフォーカシングコイルと扁平形状を有するトラッキングコイルを同一平面ではなく、互いに少なくとも一部が重なるように異なる平面に配置する。このため、フォーカシングコイルおよびトラッキングコイルを有するコイル基板を、従来の同一平面内に配置したプリントコイルからなるコイル基板に比べて、大幅に小型化することができ、小型および薄型の対物レンズ駆動装置を得ることができる。
【０１３３】
また、マグネットの着磁分割数とその割合、および着磁パターンに対するコイルパターンを最適化することにより、マグネットが小型であっても可動体の駆動効率がよい。このため、対物レンズの追従能力が高まり高速記録／再生が可能な対物レンズ駆動装置が得られる。
【０１３４】
さらに、各々を独立に駆動できる上コイル群と下コイル群の２つにトラッキングコイルを分割し、従来のトラッキング駆動に加えてラジアルチルト駆動が行える。このため、本実施形態の対物レンズ駆動装置は、対物レンズのラジアルチルトを補正し、光スポットの品質をさらに安定化する機能を併せ備えることができる。
【０１３５】
また、フォーカシング方向に可動体を移動させる電流によるモーメントとトラッキング方向に可動体を移動させる電流によるモーメントとが互いに相殺する効果を本実施形態の対物レンズ駆動装置は有する。このため静的ラジアルチルトを抑制するともに、ラジアルチルト駆動する場合の制御誤差も低減させることができる。したがって、光スポットの品質が高く、安定した信号の記録／再生が可能な対物レンズ駆動装置が得られる。さらに、対物レンズ駆動装置の性能がマグネットの着磁強度のばらつきによる影響を受けにくいので、性能のばらつきの少ない対物レンズ駆動装置を量産することができる。
【０１３６】
上記第１から第３の実施形態の対物レンズ駆動装置は、光ディスク装置に好適に用いることができる。図１３に示すように、光ディスク装置２０１は、光ディスクを回転させるスピンドルモータ２１１と、光ヘッド２０２とを備えている。光ヘッド２０２は一対のガイドシャフト２０４により移動可能なように指示されている。光ディスク装置２０１は、スレッドモータ２０６と、リードスクリュー２０８と、ウォームホイル２０９とピニオンギア２１０とラックギア２０５をさらに備える。スレッドモータ２０６の回転は、リードスクリュー２０８、ウォームホイル２０９、ピニオンギア２１０およびにラックギア２０５によって、光ディスクの半径方向である矢印２３０の方向へ光ヘッド２０２を移動させる。
【０１３７】
光ヘッド２０２は、対物レンズ２０３を有する対物レンズ駆動装置２２０を含む。対物レンズ駆動装置２２０には、第１から第３の実施形態の対物レンズ駆動装置のいずれを用いてもよい。光ヘッド２０２は内部に光源２３１を有し、光源から出射する光ビームを対物レンズ２０３により収束させ、図示しない光ディスクのデータ記録面に収束領域を形成する。
【０１３８】
第１から第３の実施形態で詳述したように、フォーカスコイルおよびトラッキングコイルを用いて、フォーカス方向、およびトラッキング方向へ対物レンズ２０３を移動させる。これにともなって、データ記録面に形成される光ビームの収束領域の大きさが変化したり、収束領域がトラッキング方向に移動する。また、第３の実施形態の対物レンズ駆動装置を用いる場合には、対物レンズの傾きを制御し、ラジアルチルトを補正することができる。
【０１３９】
光ディスク装置２０１によれば、対物レンズ駆動装置の外形が小型で薄型であり、対物レンズの追従性能が高い。このため、小型で薄型であり、記録・再生情報のレートが高くても、記録再生信号の劣化のほとんどない光ディスク装置が実現する。
【０１４０】
なお、上記第１から第３の実施形態において、第１の多極マグネットには第２の多極マグネットに比べ、磁極の数が少なく、外形の寸法が小さいものを用いていた。これは、レンズホルダにおいて、対物レンズを保持する部分とコイル基板が取り付けられた部分と接続する接続部を肉厚に形成するためである。しかし、レンズホルダを構成する材料を適切に選択することによって、この接続部を肉厚にしなくてもよい場合には、第１の多極マグネットの外形を大きくすることができる。たとえば、図１４に示す対物レンズ駆動装置５２’は、第１の多極マグネット４に換えて第２の多極マグネット１１と同じ構造を備えた第１の多極マグネット１３を備えている。つまり、対物レンズ駆動装置５２’は同じ外形および構造を有する第１の多極マグネット１３および第２の多極マグネット１１を備えている。このような対物レンズ駆動装置５２’によれば、１種類の多極マグネットを用意すればよいので、対物レンズ駆動装置５２’の製造コストを低減させることができる。図１４では、第２の実施形態の対物レンズ駆動装置の変形例として同じ多極マグネットを用いた例を説明したが、第１および第３の実施形態の対物レンズ駆動装置において、同様に第１の多極マグネットを第２の多極マグネットと同じ構造にしてもよい。
【０１４１】
【発明の効果】
本発明によれば、フォーカシングコイルおよびトラッキングコイルを設けたコイル基板の面積を小さくすることができるので、対物レンズ駆動装置の外形を小さくかつ薄くすることができる。また、マグネットが小型であっても可動体の駆動効率高く、対物レンズの追従能力が高いので、高速記録／再生が可能で、記録再生信号の劣化を抑制することのできる対物レンズ駆動装置が得られる。
【図面の簡単な説明】
【図１】本発明の対物レンズ駆動装置の第１の実施形態を示す分解斜視図である。
【図２】（ａ）は図１に示す対物レンズ駆動装置の平面図であり、（ｂ）および（ｃ）は、図１に示す対物レンズ駆動装置に用いられるコイル基板の断面図および平面図を示している。
【図３】（ｂ）は、図１に示す対物レンズ駆動装置に用いられるコイル基板、第１の多極マグネットおよび第２の多極マグネットを上から見た図であり、（ａ）は、トラッキングコイルと第２の多極マグネットとの位置関係を示すために、（ｂ）に示す矢印Ｕの方向からコイル基板を見た図である。（ｃ）は、フォーカシングコイルと第１の多極マグネットとの位置関係を示すために、（ｂ）に示す矢印Ｖの方向からコイル基板を見た図である。
【図４】本発明の対物レンズ駆動装置の第２の実施形態を示す分解斜視図である。
【図５】（ｂ）は、図４に示す対物レンズ駆動装置に用いられるコイル基板、第１の多極マグネットおよび第２の多極マグネットを上から見た図であり、（ａ）は、トラッキングコイルと第２の多極マグネットとの位置関係を示すために、（ｂ）に示す矢印Ｕの方向からコイル基板を見た図である。（ｃ）は、フォーカシングコイルと第１の多極マグネットとの位置関係を示すために、（ｂ）に示す矢印Ｖの方向からコイル基板を見た図である。
【図６】本発明の対物レンズ駆動装置の第３の実施形態を示す分解斜視図である。
【図７】図６に示す対物レンズ駆動装置におけるコイルパターンの配線図である。
【図８】図６に示す対物レンズ駆動装置におけるコイルパターンと磁極の配置を示す透視図である。
【図９】図６に示す対物レンズ駆動装置におけるラジアルチルト動作時の電流方向と磁極との関係を示す透視図である。
【図１０】（ｂ）は、図６に示す対物レンズ駆動装置のコイル基板の平面図であり、（ａ）および（ｃ）は（ｂ）におけるＡ−Ａ線およびＢ−Ｂ線における断面を示している。
【図１１】（ａ）および（ｂ）は、図６に示す対物レンズ駆動装置において、フォーカシング方向に可動体を移動させる駆動電流およびトラッキング方向に可動体を移動させる駆動電流によって生じるモーメントをそれぞれ模式的に表した図である。
【図１２】（ａ）から（ｃ）は図６に示す対物レンズ駆動装置において、駆動電流と発生モーメントとの関係を計算した結果を示すグラフである。
【図１３】本発明の光ディスク装置の実施形態を示す模式図である。
【図１４】第２の実施形態の変形例を示す分解斜視図である。
【図１５】従来の対物レンズ駆動装置の構成を示す斜視図である。
【図１６】図１５に示す従来の対物レンズ駆動装置の平面図である。
【図１７】（ｂ）は、図１５に示す従来の対物レンズ駆動装置のフォーカスコイルおよびトラッキングコイルとマグネットを示す平面図であり、（ａ）および（ｃ）は（ｂ）において、矢印ＵおよびＶの方向から見たフォーカスコイルとマグネットおよびトラッキングコイルとマグネットの側面図である。
【符号の説明】
１、１０１　対物レンズ
２、１０２　レンズホルダ
３、１０４　コイル基板
３ａ、１０５　フォーカシングコイル
３ａ１、３ａ２、３ｂ１、３ｂ２、３ｃ１、３ｃ２　有効コイル領域
３ｂ、３ｃ、１０６、１０７、１０８、１０９　トラッキングコイル
４、１１、１３　第１の多極マグネット
４ａ、４ｂ　４の磁極領域
５、１１５　第２の多極マグネット
５ａ、５ｂ　５の磁極領域
６、１０６　ベース
７ａ〜７ｄ、１１１ａ〜１１１ｆ　ワイヤー
８　サスホルダ
９　中継端子板
４１、１２０　可動体
１０、１１２　固定基板
１１０ａ〜１１０ｆ　ランド
１１３　ワイヤホルダ
１１４　ヨークベース
１２１　固定部
【図１】
2004005918.tif 000003
【図２】
2004005918.tif 000004
【図３】
2004005918.tif 000005
【図４】
2004005918.tif 000006
【図５】
2004005918.tif 000007
【図６】
2004005918.tif 000008
【図７】
2004005918.tif 000009
【図８】
2004005918.tif 000010
【図９】
2004005918.tif 000011
【図１０】
2004005918.tif 000012
【図１１】
2004005918.tif 000013
【図１２】
2004005918.tif 000014
【図１３】
2004005918.tif 000015
【図１４】
2004005918.tif 000016
【図１５】
2004005918.tif 000017
【図１６】
2004005918.tif 000018
【図１７】
2004005918.tif 000019